(57)【要約】【課題】装置の有効活用を図るとともに、動的に変化する波長パスの品質保証を行なうことができる光伝送システムの光信号品質保証方法及び光伝送システムを提供することである。【解決手段】全光再生装置３８が搭載されているノード３２Ｂが含まれている一以上複数のノード３０Ａ、３０Ｂ、３２Ａ、３２Ｂ及びリンク３４Ａ〜Ｆからなる光通信網２８により形成されるデータプレーンＸと、全光再生装置３８を適用しない状態で特定の送信局１０から受信局１８への特定のノード及びリンクからなるパスの設定を行なう制御手段１４、３６Ａ〜Ｄを備え、データプレーンＸに対して独立して設けられた制御プレーンＺと、制御プレーンＺにおいてパスが設定された後、設定されたパスの光信号品質を測定し、その測定された光信号品質が閾値以上であるか否かの判断を行なう光信号品質測定手段２４、２６を備え、データプレーンＸに対して独立して設けられた測定プレーンＹと、を備えた光伝送システムである。【選択図】図１
2006217468.tif 000002
【特許請求の範囲】
【請求項１】
全光再生装置が搭載されているノードが一以上含まれている複数のノード及びリンクからなる光通信網により形成されるデータプレーンに対して独立して設けられた制御プレーンを介して制御手段が特定の送信局から受信局への特定のノード及びリンクからなるパスを前記全光再生装置を適用しない状態で設定するパス設定工程と、
該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、
該光信号品質測定及び判断工程によって光信号品質が閾値以上でないと判断された場合、前記制御手段は、前記全光再生装置を稼動させる全光再生装置稼動工程と、
を備え、
前記光信号品質測定及び判断工程によって光信号品質が閾値以上であると判断された場合、前記データプレーンにおいて、前記設定されたパスを介して送信側から受信側への光通信を行なわせ、
前記全光再生装置稼動工程によって前記全光再生装置が稼動された場合、前記制御手段は、前記全光再生装置を稼動させた状態で前記光信号品質測定及び判断工程を行なうことを特徴とする光伝送システムの光信号品質保証方法。
【請求項２】
前記設定されたパスに前記全光再生装置が搭載されているノードが含まれていない場合、前記全光再生装置稼動工程において、前記ノードは、エラーメッセージを前記制御手段に送信し、
前記制御手段は、前記エラーメッセージを受信すると、特定の送信局から受信局への前記設定されたパスと異なるルートのパスを再設定することを特徴とする請求項１記載の光伝送システムの光信号品質保証方法。
【請求項３】
複数のノード及びリンクからなる光通信網により形成されるデータプレーンに対して独立して設けられた制御プレーンを介して制御手段が特定の送信局から受信局への特定のノード及びリンクからなるパスを設定するパス設定工程と、
該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、
該光信号品質測定及び判断工程によって光信号品質が閾値以上でないと判断された場合、特定の送信局から受信局への前記設定されたパスと異なるルートのパスを再設定するパス再設定工程と、
を備え、
前記光信号品質測定及び判断工程によって光信号品質が閾値以上であると判断された場合、前記データプレーンにおいて、前記設定されたパスを介して送信側から受信側への光通信を行なわせることを特徴とする光伝送システムの光信号品質保証方法。
【請求項４】
前記パスが再設定させると、その再設定されたパスについて前記光信号品質測定及び判断工程を行なうことを特徴とする請求項２又は３記載の光伝送システムの光信号品質保証方法。
【請求項５】
全光再生装置が搭載されているノードが一以上含まれている複数のノード及びリンクからなる光通信網により形成されるデータプレーンに対して独立して設けられた制御プレーンを介して制御手段が特定の送信局から受信局への特定のノード及びリンクからなり、少なくとも一以上の前記全光再生装置が搭載されているノードが含まれたパスを前記全光再生装置を適用しない状態で設定するパス設定工程と、
該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、
を備え、
前記光信号品質測定及び判断工程によって光信号品質が閾値以上であると判断された場合、前記データプレーンにおいて、前記設定されたパスを介して送信側から受信側への光通信を行なわせ、
前記光信号品質測定及び判断工程によって光信号品質が閾値以上でないと判断された場合、前記制御手段は、前記全光再生装置を稼動させ、その稼動させた状態で前記光信号品質測定及び判断工程を行なうことを特徴とする光伝送システムの光信号品質保証方法。
【請求項６】
前記全光再生装置を稼動させた状態で前記光信号品質測定及び判断工程を行なった結果、光信号品質が閾値以上でないと判断された場合、特定の送信局から受信局への前記設定されたパスと異なるルートのパスを再設定し、その再設定されたパスについて前記光信号品質測定及び判断工程を行なうことを特徴とする請求項１又は５記載の光伝送システムの光信号品質保証方法。
【請求項７】
光信号品質測定及び判断工程の前に前記パス設定工程によって設定されたパスの伝送特性の補償を行なう伝送特性補償工程をさらに備え、
光信号品質測定及び判断工程は、前記伝送特性補償工程によって伝送特性が補償されたパスの光信号品質を測定することを特徴とする請求項１乃至６いずれか記載の光伝送システムの光信号品質保証方法。
【請求項８】
全光再生装置が搭載されているノードが一以上含まれている複数のノード及びリンクからなる光通信網により形成されるデータプレーンと、
前記全光再生装置を適用しない状態で特定の送信局から受信局への特定のノード及びリンクからなり、前記少なくとも一以上の前記全光再生装置が搭載されているノードが含まれたパスの設定を行なう制御手段を備え、前記データプレーンに対して独立して設けられた制御プレーンと、
前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、
を備え、
前記光信号品質測定手段によって光信号品質が閾値以上であると判断された場合、前記制御手段は、前記データプレーンにおいて、前記設定されたパスを介して送信側から受信側への光通信を行なわせ、
前記光信号品質測定手段によって光信号品質が閾値以上でないと判断された場合、前記制御手段は、前記全光再生装置を稼動させ、その稼動させた状態で光信号品質測定手段に光信号品質の測定を行なわせることを特徴とする光伝送システム。
【請求項９】
複数のノード及びリンクからなる光通信網により形成されるデータプレーンと、
前記全光再生装置を適用しない状態で特定の送信局から受信局への特定のノード及びリンクからなるパスの設定を行なう制御手段を備え、前記データプレーンに対して独立して設けられた制御プレーンと、
前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、
を備え、
前記光信号品質測定手段によって光信号品質が閾値以上であると判断された場合、前記制御手段は、前記データプレーンにおいて、前記設定されたパスを介して送信側から受信側への光通信を行なわせ、
前記光信号品質測定手段によって光信号品質が閾値以上でないと判断された場合、前記制御手段は、特定の送信局から受信局への前記設定されたパスと異なるルートのパスを再設定し、その設定されたパスについて光信号品質測定手段に光信号品質の測定を行なわせることを特徴とする光伝送システム。
【請求項１０】
全光再生装置が搭載されているノードが含まれている一以上複数のノード及びリンクからなる光通信網により形成されるデータプレーンと、
前記全光再生装置を適用しない状態で特定の送信局から受信局への特定のノード及びリンクからなるパスの設定を行なう制御手段を備え、前記データプレーンに対して独立して設けられた制御プレーンと、
前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、
を備え、
前記光信号品質測定手段によって光信号品質が閾値以上であると判断された場合、前記制御手段は、前記データプレーンにおいて、前記設定されたパスを介して送信側から受信側への光通信を行なわせ、
前記光信号品質測定手段によって光信号品質が閾値以上でないと判断された場合、前記制御手段は、前記全光再生装置を稼動させ、その稼動させた状態で光信号品質測定手段に光信号品質の測定を行なわせ、
前記設定されたパスに前記全光再生装置が搭載されているノードが含まれていない場合、前記ノードは、エラーメッセージを前記制御手段に送信し、前記制御手段は、前記エラーメッセージを受信すると、特定の送信局から受信局への前記設定されたパスと異なるルートのパスを再設定し、その設定されたパスについて光信号品質測定手段に光信号品質の測定を行なわせることを特徴とする光伝送システム。
【請求項１１】
前記光信号品質測定手段による測定及び判断の前に前記制御手段によって設定されたパスの伝送特性の補償を行なう伝送特性補償手段をさらに備え、
前記光信号品質測定手段は、前記伝送特性補償手段によって伝送特性が補償されたパスの光信号品質を測定することを特徴とする請求項８乃至１０いずれか記載の光伝送システム。
【発明の詳細な説明】
【技術分野】
【０００１】
本発明は、光通信網を使用した光伝送システムにおける光信号品質保証方法及び光伝送システムに関し、特に全光ネットワーク通信システムのような高速光伝送システムに好適な光信号品質保証方法及び光伝送システムに関する。
【背景技術】
【０００２】
近年、データ通信技術の発展に伴い、大量のデータを高速で通信する必要性が生じているため、複数のノード及びリンクからなる光通信網により形成される光伝送システムが利用されている。特に、近年、電気信号処理を行なわずにデータ転送を行なう全光伝送システムを実現するために、光２Ｒ再生装置や光３Ｒ再生装置など全光再生装置、及び光クロスコネクト装置（ＰＸＣ）などの研究が盛んに行なわれている。
【０００３】
ところで、全光伝送システムは、トポロジーフリーという特徴、すなわちユーザ間のパスである波長パスが動的に変化するという特徴を有する。波長パスが変化すると、光信号が通過する光ファイバが変化し、その結果、波長パス上の様々な光ファイバパラメータが変化することになる。光ファイバパラメータが変化すると、受信側における信号の品質が変化するという問題があるため、動的に変化する波長パスの品質管理及び品質保証を行なう必要がある。
【０００４】
全光伝送システムにおいて劣化した信号品質の補償を実現するために、光２Ｒ再生装置を用いて光波形整形を最適に実現することが、特許文献１に記載されている。光２Ｒ再生装置は、通常、中継ノードなどに設置し、中継ノードを通過する光信号の波形整形を行なっている。
【０００５】
また、動的に変化する波長パスの品質保証を図る方法として、例えば、特許文献２には、全光伝送システムにおける波長パスを確立させる前に、ＧＭＰＬＳ制御プレーンとデータプレーンを連携させることにより、その波長パスにおける光ファイバによる全波長分散を計算させて、波長パスの波長分散補償を実現することにより、常に波長パスの信号品質を保証する方法が記載されている。
【特許文献１】特開２００２−２３２０８号公報
【特許文献２】特開２００４−２７４２３８号公報
【発明の開示】
【発明が解決しようとする課題】
【０００６】
しかしながら、全ての中継ノードに光２Ｒ再生装置を設置し、通過する光信号の波形整形を行なうことは、コスト高になり、また、例えば光信号の品質が低下していない場合にも、２Ｒ機能を施すことになるので、装置を効率的に活用することができない。
【０００７】
また、特許文献２に記載されたものは、波長分散を補償するだけで、それ以外のＰＭＤ（偏波モード分散）や光ＳＮ比等については、考慮されておらず、波長分散以外の影響による信号劣化を補償することは不可能である。
【０００８】
そこで、本発明は、動的に変化する波長パスの品質保証を行なうことができる光伝送システムの光信号品質保証方法及び光伝送システムを提供することを目的とする。
【課題を解決するための手段】
【０００９】
以上の目的を達成するため、本発明は、全光再生装置が搭載されているノードが一以上含まれている複数のノード及びリンクからなる光通信網により形成されるデータプレーンに対して独立して設けられた制御プレーンを介して制御手段が特定の送信局から受信局への特定のノード及びリンクからなるパスを前記全光再生装置を適用しない状態で設定するパス設定工程と、該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、該光信号品質測定及び判断工程によって光信号品質が閾値以上でないと判断された場合、前記制御手段は、前記全光再生装置を稼動させる全光再生装置稼動工程と、を備え、前記光信号品質測定及び判断工程によって光信号品質が閾値以上であると判断された場合、前記データプレーンにおいて、前記設定されたパスを介して送信側から受信側への光通信を行なわせ、前記全光再生装置稼動工程によって前記全光再生装置が稼動された場合、前記制御手段は、前記全光再生装置を稼動させた状態で前記光信号品質測定及び判断工程を行なうことを特徴とする光伝送システムの光信号品質保証方法である。
【００１０】
この光伝送システムの光信号品質保証方法において、前記設定されたパスに前記全光再生装置が搭載されているノードが含まれていない場合、前記全光再生装置稼動工程において、前記ノードは、エラーメッセージを前記制御手段に送信し、前記制御手段は、前記エラーメッセージを受信すると、特定の送信局から受信局への前記設定されたパスと異なるルートのパスを再設定することが好ましい。
【００１１】
また、上記目的を達成するため、本発明は、複数のノード及びリンクからなる光通信網により形成されるデータプレーンに対して独立して設けられた制御プレーンを介して制御手段が特定の送信局から受信局への特定のノード及びリンクからなるパスを設定するパス設定工程と、該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、該光信号品質測定及び判断工程によって光信号品質が閾値以上でないと判断された場合、特定の送信局から受信局への前記設定されたパスと異なるルートのパスを再設定するパス再設定工程と、を備え、前記光信号品質測定及び判断工程によって光信号品質が閾値以上であると判断された場合、前記データプレーンにおいて、前記設定されたパスを介して送信側から受信側への光通信を行なわせることを特徴とする光伝送システムの光信号品質保証方法である。
【００１２】
この光伝送システムの光信号品質保証方法において、前記パス再設定工程によってパスが再設定させると、その再設定されたパスについて前記光信号品質測定及び判断工程を行なうことが好ましい。
【００１３】
さらに、上記目的を達成するために、本発明は、全光再生装置が搭載されているノードが一以上含まれている複数のノード及びリンクからなる光通信網により形成されるデータプレーンに対して独立して設けられた制御プレーンを介して制御手段が特定の送信局から受信局への特定のノード及びリンクからなり、少なくとも一以上の前記全光再生装置が搭載されているノードが含まれたパスを前記全光再生装置を適用しない状態で設定するパス設定工程と、該パス設定工程によってパスが設定された後、前記データプレーンに対して独立して設けられた測定プレーンを介して光信号品質測定手段が前記設定されたパスの光信号品質を測定し、その測定された光信号品質が閾値以上であるか否かの判断を行なう光信号品質測定及び判断工程と、を備え、前記光信号品質測定及び判断工程によって光信号品質が閾値以上であると判断された場合、前記データプレーンにおいて、前記設定されたパスを介して送信側から受信側への光通信を行なわせ、前記光信号品質測定及び判断工程によって光信号品質が閾値以上でないと判断された場合、前記制御手段は、前記全光再生装置を稼動させた状態で前記光信号品質測定及び判断工程を行なうことを特徴とする光伝送システムの光信号品質保証方法である。
【００１４】
これら光伝送システムの光信号品質保証方法において、前記全光再生装置を稼動させた状態で前記光信号品質測定及び判断工程を行なった結果、光信号品質が閾値以上でないと判断された場合、特定の送信局から受信局への前記設定されたパスと異なるルートのパスを再設定し、その再設定されたパスについて前記光信号品質測定及び判断工程を行なうことが好ましい。
【００１５】
さらに、これら光伝送システムの光信号品質保証方法は、光信号品質測定及び判断工程の前に前記パス設定工程によって設定されたパスの伝送特性の補償を行なう伝送特性補償工程をさらに備え、光信号品質測定及び判断工程は、前記伝送特性補償工程によって伝送特性が補償されたパスの光信号品質を測定することが好ましく、伝送特性補償手段として、波長分散補償手段を用いることができる。
【００１６】
また、上記目的を達成するため、本発明は、全光再生装置が搭載されているノードが一以上含まれている複数のノード及びリンクからなる光通信網により形成されるデータプレーンと、前記全光再生装置を適用しない状態で特定の送信局から受信局への特定のノード及びリンクからなり、前記少なくとも一以上の前記全光再生装置が搭載されているノードが含まれたパスの設定を行なう制御手段を備え、前記データプレーンに対して独立して設けられた制御プレーンと、前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、を備え、前記光信号品質測定手段によって光信号品質が閾値以上であると判断された場合、前記制御手段は、前記データプレーンにおいて、前記設定されたパスを介して送信側から受信側への光通信を行なわせ、前記光信号品質測定手段によって光信号品質が閾値以上であると判断された場合、前記制御手段は、前記全光再生装置を稼動させ、その稼動させた状態で光信号品質測定手段に光信号品質の測定を行なわせることを特徴とする光伝送システムである。
【００１７】
さらに、本発明は、複数のノード及びリンクからなる光通信網により形成されるデータプレーンと、前記全光再生装置を適用しない状態で特定の送信局から受信局への特定のノード及びリンクからなるパスの設定を行なう制御手段を備え、前記データプレーンに対して独立して設けられた制御プレーンと、前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、を備え、前記光信号品質測定手段によって光信号品質が閾値以上であると判断された場合、前記制御手段は、前記データプレーンにおいて、前記設定されたパスを介して送信側から受信側への光通信を行なわせ、前記光信号品質測定手段によって光信号品質が閾値以上でないと判断された場合、前記制御手段は、特定の送信局から受信局への前記設定されたパスと異なるルートのパスを再設定し、その設定されたパスについて光信号品質測定手段に光信号品質の測定を行なわせることを特徴とする光伝送システムである。
【００１８】
またさらに、本発明は、全光再生装置が搭載されているノードが含まれている一以上複数のノード及びリンクからなる光通信網により形成されるデータプレーンと、前記全光再生装置を適用しない状態で特定の送信局から受信局への特定のノード及びリンクからなるパスの設定を行なう制御手段を備え、前記データプレーンに対して独立して設けられた制御プレーンと、前記制御プレーンにおいてパスが設定された後、前記設定されたパスの光信号品質を測定し、その測定された光信号品質が閾値以上であるか否かの判断を行なう光信号品質測定手段を備え、前記データプレーンに対して独立して設けられた測定プレーンと、を備え、前記光信号品質測定手段によって光信号品質が閾値以上であると判断された場合、前記制御手段は、前記データプレーンにおいて、前記設定されたパスを介して送信側から受信側への光通信を行なわせ、前記光信号品質測定手段によって光信号品質が閾値以上でないと判断された場合、前記制御手段は、前記全光再生装置を稼動させ、その稼動させた状態で光信号品質測定手段に光信号品質の測定を行なわせ、前記設定されたパスに前記全光再生装置が搭載されているノードが含まれていない場合、前記ノードは、エラーメッセージを前記制御手段に送信し、前記制御手段は、前記エラーメッセージを受信すると、特定の送信局から受信局への前記設定されたパスと異なるルートのパスを再設定し、その設定されたパスについて光信号品質測定手段に光信号品質の測定を行なわせることを特徴とする光伝送システムである。
【００１９】
本発明に係る光伝送システムにおいて、前記光信号品質測定手段による測定及び判断の前に前記制御手段によって設定されたパスの伝送特性の補償を行なう伝送特性補償手段をさらに備え、前記光信号品質測定手段は、前記伝送特性補償手段によって伝送特性が補償されたパスの光信号品質を測定することが好ましく、伝送特性補償手段として、波長分散補償手段を用いることができる。
【００２０】
以上のように、本発明に係る光伝送システムの光信号品質保証方法及び光伝送システムによれば、設定されたパスの光信号品質が閾値以上の場合に光通信サービスを開始し、その光信号品質が閾値以上でない場合、全光再生装置を稼動させたり、別のルートに変更しているので、波長パスが動的に変化した場合であっても、一定品質以上の光通信サービスを提供することができる。また、光信号品質が閾値以上でない場合に限り、全光再生装置を稼動させているので、全光再生装置などの装置を効率的に活用することができる。
【００２１】
本発明に係る光伝送システムの光信号品質保証方法及び光伝送システムにおいて、測定する光信号品質としては、例えば、Ｑ値などがある。Ｑ値とは、光伝送システムなどにおけるシステム評価用パラメータとして提案されているもの、すなわち雑音信号をガウス雑音と仮定したデジタル信号における信号対雑音比（Signal to Noise Rate）であり、デジタル信号の信号振幅（μ）と雑音振幅の実行値（σ）で表わされ、Ｑ＝Ａｂｓ（μ１−μ０）／（σ１＋σ０）によって定義される。μ１、μ０は、１レベル、０レベルの信号平均レベルを表す。σ１、σ０は、１レベル、０レベルの雑音分布の標準偏差を表す。ここで、Ａｂｓ（μ１−μ０）は、μ１−μ０の絶対値を表わしている。また、補償する伝送特性としては、例えば波長分散値などがある。
【発明の効果】
【００２２】
以上のように、本発明によれば、動的に変化する波長パスの品質保証を行なうことができる光伝送システムの光信号品質保証方法及び光伝送システムを提供することができる。
【発明を実施するための最良の形態】
【００２３】
次に、本発明に係る光伝送システムの第１実施例を図面に基づいて説明する。図１は、第１実施例に係る光伝送システムの要部を示すブロック図である。第１実施例に係る光伝送システムにおいて、送信局１０は、送信装置１２、それを制御する制御装置１４及び測定器制御端末１６を備えており、受信局１８は、受信装置２０、それを制御する制御装置２２、測定器制御端末２４及び光信号品質測定装置２６と、を備えている。送信装置１２と受信装置２０は、光通信網２８を介して接続されている。光通信網２８は、エッジノード３０Ａ、３０Ｂ、中継ノード３２Ａ、３２Ｂ及びそれらを相互接続する光ファイバからなるリンク３４Ａ〜３４Ｆを備えており、伝送すべき情報が、例えば４０Ｇｂｉｔ／ｓで高速伝送されるデータプレーンＸを構成している。各エッジノード３０Ａ、３０Ｂ及び中継ノード３２Ａ、３２Ｂは、光クロスコネクト（ＰＸＣ）を含んでいる。また、中継ノード３２Ｂには、全光再生装置３８を備えている。全光再生装置３８としては、２Ｒ機能を備えたものと、３Ｒ機能を備えたものがあり、２Ｒ機能は、振幅再生又はリアンプリフィケーション（Reamplification）と波形整形又はリシェイピング（Reshaping）であり、３Ｒ機能は、さらにタイミング再生又はリタイミング（Retiming）を加えたものである。２Ｒ機能は、波形整形器と光増幅器を組み合わせることにより、あるいは光増幅機能を有する波形整形器を用いることにより提供することができ、それに加えてクロック再生器を並列して用いることにより３Ｒ機能を提供することができる。第１実施例に係る光伝送システムにおいては、２Ｒ機能及び３Ｒ機能を備えた全光再生装置を用いることとする。なお、２Ｒ機能及び３Ｒ機能のいずれかを備えたものを用いても良く、また全光再生装置３８は、中継ノード３２Ｂに限らず、その他のノード３０Ａ、３０Ｂ、３２Ａなどに備えてもよい。
【００２４】
各ノード３０Ａ、３０Ｂ、３２Ａ、３２Ｂには、それらを制御する制御装置３６Ａ〜３６Ｄがそれぞれ接続されており、それらのうち、中継ノード３２Ｂに接続された制御装置３６Ｃは、全光再生装置３８にも接続されている。これら制御装置１４、２２、３６Ａ〜３６Ｄは、送信装置１２、受信装置２０及び各ノード３０Ａ、３０Ｂ、３２Ａ、３２Ｂそれぞれにパス設定を付与するように構成されており、制御装置１４及び２２は、測定器制御端末１６及び２４に光信号品質測定の指示を付与するように構成されており、制御装置３６Ｃは、さらに全光再生装置３８に２Ｒ機能稼動の指示を付与するように構成されている。制御装置１４、２２、３６Ａ〜３６Ｄは、例えばハブ等を介して相互接続され、データプレーンＸとは独立に相互の通信を行なう制御プレーンＺを構成している。第１実施例においては、制御プレーンＺ上でのパス設定動作は、ＧＭＰＬＳシグナリングで使用されているＲＳＶＰ−ＴＥ（Resource Reservation Protocol-Traffic Engineering）メッセージに基づいて行なうことができる。周知のように、ＭＰＬＳでは、パケットの本来の宛先アドレスとは別個に、固定長のラベル情報を持ち、このラベル情報に基づいてパケットの転送を行なう。各ノード３０Ａ、３０Ｂ、３２Ａ、３２Ｂには、入力ラベル及び入力インタフェース（ＩＦ）に対する出力ラベル及び出力インタフェース（ＩＦ）の関係を示すラベルテーブルが保持されており、パケット中継時には、受信パケットの本来の宛先ではなく、ラベルに基づいて次の転送先ノードを決定し、受信パケットのラベルを書き換えて次の転送先ノードに転送する。これを送信部から受信部まで繰り返すことにより、設定されたパスに従ってパケットデータが送信される。パスは、確立対象となるパス上のノードに対して始点から終点へかけてホップバイホップ（hop-by-Hop）で順次設定されていく。なお、制御プレーンＺは、ＧＭＰＬＳ制御に基かない一般的な制御に基くものであっても良い。
【００２５】
送信局１０の測定器制御端末１６と受信局１８の測定器制御端末２４は、例えばハブ等を介して相互接続され、光信号品質測定装置２６とともに、データプレーンＸとは独立に相互の通信を行なう測定プレーンＹを構成している。光信号品質測定装置２６は、送信装置１２と受信装置２０の間に設定されたパスの光信号品質として、Ｑ値を測定するように構成されている。このＱ値の測定は、例えば、リンク３４Ｆから分岐された光信号から狭帯域フィルタによって目的の波長λｉ（ｉ＝１〜ｎ）を取り出し、ＩＮＬＩＮＥ−ＡＭＰによって強度を増幅し、ＤＣＦ（分散補償ファイバ）によって波形整形された光信号をＱ値モニタによってモニタリングすることにより行なうことができる。
【００２６】
次に、第１実施例に係る光伝送システムのパス設定動作について説明する。図２は、制御プレーンにおけるパス設定時の各ノード間のメッセージの流れ、及び測定プレーンにおける測定時の送信局１０と受信局１８間のメッセージの流れを示す図であり、図３は、第１実施例に係る光伝送システムのパス設定動作のフローチャートである。先ず、送信局１０の制御装置１４にパス設定要求が入力されると（Ｓ１００）、制御装置１４は、ＲＳＶＰ−ＰＡＴＨメッセージにより、チャネル情報付きのパスの設定要求を行なう（Ｓ１０２）。    このＲＳＶＰ−ＰＡＴＨメッセージは、ＧＭＰＬＳプロトコルに基づいて、図２に示すように、送信装置１２→エッジノード３０Ａ→中継ノード３２Ａ→エッジノード３０Ｂ→受信装置２０の各制御装置１４、３６Ａ、３６Ｂ、３６Ｄ、２２に順次転送され、各ノードでのパスの確立が順次行われる。
【００２７】
受信局１８の制御装置２２は、パス設定要求（ＲＳＶＰ−ＰＡＴＨメッセージ）を受信すると、パス設定確保通知（ＲＳＶＰ−ＲＥＳＶメッセージ）を出力する（Ｓ１０４）。受信局１８の制御装置２２から出力されたパス設定確保通知（ＲＳＶＰ−ＲＥＳＶメッセージ）は、図２に示すように、受信装置２０→エッジノード３０Ｂ→中継ノード３２Ａ→エッジノード３０Ａ→送信装置１２の各制御装置２２、３６Ｄ、３６Ｂ、３６Ａ、１４に順次転送される。制御装置１４は、パス設定確保通知を受信すると、データプレーンＸにおける送信装置１２→エッジノード３０Ａ→中継ノード３２Ａ→エッジノード３０Ｂ→受信装置２０に監視モードの一つであるtesting modeのパスを設定するメッセージを各制御装置３６Ａ、３６Ｂ、３６Ｄ、２２に送信する（Ｓ１０６）。このtesting modeのパスが設定されると、制御装置１４は、送信装置１２からそのパスを通る測定用信号を受信装置２０に向けて送信し、制御装置１４及び２２は、測定器制御端末１６及び２４に光信号品質測定動作開始指示を与え、測定器制御装置２４は、図２に示すように、光信号品質測定装置２６にＱ値の測定を開始させる（Ｓ１０８）。光信号品質測定装置２６は、測定器制御装置２４からの指示に従い、リンク３４Ｆから分岐された測定用信号をモニタリングすることによってＱ値の測定を行ない（Ｓ１１０）、測定結果を受信局１８の測定器制御端末２４に送信する（Ｓ１１２）。測定器制御端末２４は、Ｑ値の測定結果を受信すると、Ｑ値が閾値を超えているか否かの判断を行ない（Ｓ１１４）、その結果、Ｑ値が閾値を超えている場合、測定器制御端末２４は、測定器制御端末１６を介して制御装置１４にデータプレーンＸにおいて設定されたパスのtesting modeを解除し、通常のモードの光通信を行なわせる指示を与え（Ｓ１１６）、制御装置１４は、各制御装置３６Ａ、３６Ｂ、３６Ｄ、２２にメッセージを送信することにより、testing modeを解除させて送信装置１２→エッジノード３０Ａ→中継ノード３２Ａ→エッジノード３０Ｂ→受信装置２０の光通信を開始させる（Ｓ１１８）。
【００２８】
ステップ１１４において、Ｑ値が閾値を超えていないと判断された場合、測定器制御端末２４は、測定器制御端末１６を介して制御装置１４にＱ値向上の指示を与え（Ｓ１２０）、制御装置１４は、testing modeのパスを設定している各ノード３０Ａ、３２Ａ、３０Ｂの制御装置３６Ａ、３６Ｂ、３６Ｄに２Ｒ機能を稼動させるメッセージを送信する（Ｓ１２２）。２Ｒ機能の稼動のメッセージを受信すると、２Ｒ機能を備えたノードの制御装置は、２Ｒ機能を稼動させるとともに、稼動させたメッセージを制御装置１４に伝え、２Ｒ機能を備えていないノードの制御装置は、エラーメッセージを制御装置１４に伝える。testing modeのパスを設定している各ノード３０Ａ、３２Ａ、３０Ｂは、いずれも全光再生装置３８を備えていないので、制御装置１４には、２Ｒ機能を稼動させたメッセージが送信されることはない。制御装置１４は、testing modeのパスが設定されている全てのノードの制御装置からエラーメッセージを受信すると（Ｓ１２４）、各ノード３０Ａ、３２Ａ、３０Ｂの制御装置３６Ａ、３６Ｂ、３６Ｄに３Ｒ機能を稼動させるメッセージを送信する（Ｓ１２６）。３Ｒ機能の稼動のメッセージを受信すると、３Ｒ機能を備えたノードの制御装置は、３Ｒ機能を稼動させるとともに、稼動させたメッセージを制御装置１４に伝え、３Ｒ機能を備えていないノードの制御装置は、エラーメッセージを制御装置１４に伝える。testing modeのパスを設定している各ノード３０Ａ、３２Ａ、３０Ｂは、いずれも全光再生装置３８を備えていないので、制御装置１４には、３Ｒ機能を稼動させたメッセージが送信されることはない。制御装置１４は、testing modeのパスが設定されている全てのノードの制御装置からエラーメッセージを受信すると（Ｓ１２８）、中継ノード３２Ａを通らないルート、例えば中継ノード３２Ａの代わりに中継ノード３２Ｂを通るルートを選択し（Ｓ１３０）、その後、送信装置１２→エッジノード３０Ａ→中継ノード３２Ｂ→エッジノード３０Ｂ→受信装置２０に関するtesting modeのパスに関し、ステップ１０２から１２２まで同様の動作を行なう。
【００２９】
中継ノード３２Ｂは、２Ｒ機能を有する全光再生装置３８を備えているので、ステップ１２４において、制御装置１４は、中継ノード３２Ｂの制御装置３６Ｃから２Ｒ機能が稼動させたメッセージを受信する。このメッセージを受信すると、光信号品質測定装置２６は、上記ステップ１０８〜１１２と同様にそのパスのＱ値の測定を行ない、測定結果を測定制御装置２４に送信する（Ｓ１３２）。測定器制御端末２４は、測定結果を受信すると、Ｑ値が閾値を超えているか否かの判断を行ない（Ｓ１３４）、その結果、Ｑ値が閾値を超えている場合、上記ステップ１１６及び１１８と同様に制御装置１４及び２２は、testing modeを解除させて送信装置１２→エッジノード３０Ａ→中継ノード３２Ｂ→エッジノード３０Ｂ→受信装置２０の光通信を開始させる（Ｓ１３６）。
【００３０】
ステップ１３４において、Ｑ値が閾値を超えていないと判断された場合、測定器制御端末２４は、測定器制御端末１６を介して制御装置１４にＱ値向上の指示を与え（Ｓ１３８）、ステップ１２６に進み、制御装置１４は、中継ノード３２Ｂに２Ｒ機能を解除するメッセーとともに、３Ｒ機能を稼動させるメッセージを各ノード３０Ａ、３２Ｂ、３０Ｂの制御装置３６Ａ、３６Ｃ、３６Ｄに送信する。
【００３１】
中継ノード３２Ｂは、３Ｒ機能を有する全光再生装置３８を備えているので、ステップ１２８において、制御装置１４は、中継ノード３２Ｂの制御装置３６Ｃから３Ｒ機能が稼動させたメッセージを受信する。このメッセージを受信すると、光信号品質測定装置２６は、上記ステップ１０８〜１１２と同様にそのパスのＱ値の測定を行ない、測定結果を測定制御装置２４に送信する（Ｓ１４０）。測定器制御端末２４は、測定結果を受信すると、Ｑ値が閾値を超えているか否かの判断を行ない（Ｓ１４２）、その結果、Ｑ値が閾値を超えている場合、上記ステップ１１６及び１１８と同様に制御装置１４及び２２は、testing modeを解除させて送信装置１２→エッジノード３０Ａ→中継ノード３２Ｂ→エッジノード３０Ｂ→受信装置２０の光通信を開始させる（Ｓ１４４）。ステップ１４２において、Ｑ値が閾値を超えていないと判断された場合、ステップ１３０に進み、中継ノード３２Ｂを通らないルートを選択し、以後ステップ１０２からの動作を行なう。
【００３２】
次に、第１実施例に係る光伝送システムの他の動作について図４に示すフローチャートに基いて説明する。第２の動作において、ステップ２００〜２１８までは、上記ステップ１００〜１１８と同様に動作する。ステップ２１４において、Ｑ値が閾値を超えていないと判断された場合、測定器制御端末２４は、測定器制御端末１６を介して制御装置１４にＱ値向上の指示を与え（Ｓ２２０）、制御装置１４は、testing modeのパスを設定している各ノード３０Ａ、３２Ａ、３０Ｂの制御装置３６Ａ、３６Ｂ、３６Ｄに２Ｒ機能又は３Ｒ機能を稼動させるメッセージを送信する（Ｓ２２２）。２Ｒ機能を稼動させるか、あるいは３Ｒ機能を稼動させるかは、Ｑ値の値による。すなわち、Ｑ値が所定の値よりも低い場合は、３Ｒ機能を稼動させるメッセージを送信し、所定の値以上の場合、２Ｒ機能を稼動させるメッセージを送信する。２Ｒ機能又は３Ｒ機能を稼動させるメッセージを受信すると、２Ｒ機能又は３Ｒ機能を備えたノードの制御装置は、２Ｒ機能又は３Ｒ機能を稼動させるとともに、稼動させたメッセージを制御装置１４に伝え、２Ｒ機能又は３Ｒ機能を備えていないノードの制御装置は、エラーメッセージを制御装置１４に伝える。制御装置１４は、testing modeのパスが設定されている全てのノードの制御装置からエラーメッセージを受信すると（Ｓ２２４）、中継ノード３２Ａを通らないルート、例えば中継ノード３２Ａの代わりに中継ノード３２Ｂを通るルートを選択し（Ｓ２２６）、その後、送信装置１２→エッジノード３０Ａ→中継ノード３２Ｂ→エッジノード３０Ｂ→受信装置２０に関するtesting modeのパスに関し、ステップ２０２から２２２まで同様の動作を行なう。
【００３３】
ステップ２２４において、制御装置１４は、中継ノード３２Ｂの制御装置３６Ｃから２Ｒ機能又は３Ｒ機能が稼動させたメッセージを受信すると、光信号品質測定装置２６は、上記ステップ２０８〜２１２と同様にそのパスのＱ値の測定を行ない、測定結果を測定制御装置２４に送信する（Ｓ２２８）。測定器制御端末２４は、測定結果を受信すると、Ｑ値が閾値を超えているか否かの判断を行ない（Ｓ２３０）、その結果、Ｑ値が閾値を超えている場合、上記ステップ１１６及び１１８と同様に制御装置１４及び２２は、testing modeを解除させて送信装置１２→エッジノード３０Ａ→中継ノード３２Ｂ→エッジノード３０Ｂ→受信装置２０の光通信を開始させる（Ｓ２３２）。ステップ２３０において、Ｑ値が閾値を超えていないと判断された場合、ステップ２３０に進み、中継ノード３２Ｂを通らないルートを選択し、以後ステップ２０２からの動作を行なう。
【００３４】
次に、本発明に係る光伝送システムの第２実施例として、波長分散補償器を用いて伝送特性補償を行っている光伝送システムを図面に基づいて説明する。図５は、第２実施例に係る光伝送システムの概念図である。第２実施例に係る光伝送システムの送信局１０は、第１実施例と異なり、波長分散測定用送信器４０を備えている。波長分散測定用送信器４０は、testing modeのパス設定後に測定器制御端末１６から出力される波長分散測定信号送信指示に基づいて、例えば正弦波状の波長分散測定信号を出力する。また、受信局１８は、第１実施例と異なり、設定された波長分散に基づいて、受信情報の補償動作を行なう波長分散補償器４２、波長分散測定信号を受信して、受信された波長分散測定信号から波長分散を測定する波長分散測定用受信器４４と、この波長分散測定用受信器４４の測定値に基づいて波長分散補償器４２を設定する制御部４６とを備えている。波長分散補償器４２としては、例えば波長分散特性の異なる複数のファイバーブラッグ格子（ＦＢＧ）を切り替えて使用するものなどを用いることができる。波長分散測定用受信器４４は、制御装置２２から制御プレーンＺを介して測定器制御端末２４に入力されたパス設定するチャネル情報に基づいて波長分散測定用信号を受信する。なお、チャネル情報には、例えばチャネル番号（波長）とビットレートとを含む。
【００３５】
第２実施例に係る光伝送システムの動作を図６に示すフローチャートに基づいて説明する。第２実施例に係る光伝送システムは、上記第１実施例に係る光伝送システムの動作におけるステップ１０８において、送信装置１２から受信装置２０へtesting modeのパス設定されると、制御装置１４は、波長分散補償動作開始指示を測定器制御端末１６に出力する（Ｓ３００）。これを受けて、測定器制御端末１６は、波長分散測定用送信器４０に波長分散測定用信号をデータプレーンＸによって設定されたtesting modeのパスを介して受信装置２０に向けて送信させる指示を与え（Ｓ３０２）、波長分散測定用送信器４０は、そのメッセージに従い、波長分散測定用信号を受信装置２０に向けて送信する（Ｓ３０４）。次いで波長分散測定用受信器４４は、指定されたＷＤＭチャネルで指定されたビットレートの測定用信号を受信し、受信された信号から波長分散値等の波長分散を測定する（Ｓ３０６）。測定後、測定器制御端末１６は、測定器制御端末２４を介して波長分散測定用受信器４４に波長分散補償開始指示を出力する（Ｓ３０８）。また、制御部４６は、測定された波長分散とは逆特性を波長分散補償器４２に設定する（Ｓ３１０）。波長分散補償器２１０への設定動作が完了したら、上記第１実施例に係る光伝送システムの動作におけるステップ１１０に戻って、光信号品質測定装置２６にＱ値の測定を行なわせ（Ｓ３１２）、その後実施例１に係る光伝送システムと同様の動作を行なう。
【図面の簡単な説明】
【００３６】
【図１】本発明に係る光伝送システムの第１実施例の要部を示すブロック図である。
【図２】第１実施例に係る光伝送システムにおけるパス設定時及び光信号品質測定時のメッセージの流れを示す図である。
【図３】第１実施例に係る光伝送システムのパス設定動作を示すフローチャートである。
【図４】第１実施例に係る光伝送システムのパス設定の他の動作を示すフローチャートである。
【図５】本発明に係る光伝送システムの第２実施例の要部を示すブロック図である。
【図６】第２実施例に係る光伝送システムの波長分散補償動作を示すフローチャートである。
【符号の説明】
【００３７】
１０   送信局
１２  送信装置
１６  測定器制御端末
１４、２２、３６Ａ〜Ｄ      制御装置
１８   受信局
２０  受信装置
２４   測定器制御端末
２６   光光信号品質測定装置
２８   光通信網
３０Ａ、３０Ｂ       エッジノード
３２Ａ、３２Ｂ       中継ノード
３４Ａ〜Ｆ    リンク
３８   全光再生装置
Ｘ     データプレーン
Ｙ     測定プレーン
Ｚ     制御プレーン
【図１】
2006217468.tif 000003
【図２】
2006217468.tif 000004
【図３】
2006217468.tif 000005
【図４】
2006217468.tif 000006
【図５】
2006217468.tif 000007
【図６】
2006217468.tif 000008